(57)【特許請求の範囲】
【請求項１】
リモコン受光部を備えた測量機において、
前記リモコン受光部は、１つの受光素子と、２方向からのリモコン信号光を前記受光素子へ伝達する導光部材とを備え、
前記導光部材は、前記受光素子を固定する受光素子固定部と、該受光素子固定部に設けられて前記測量機内面と接合するための接合片と、前記受光素子に面する基部と、該基部から２股に分かれるとともに先端部が一直線上に位置する２本の脚部と、該脚部の一方の先端部に設けられた位置決めピンとを有する硬質材料からなり、
前記測量機には、一直線上に位置して２つの光入射孔が設けられており、
前記各脚部の先端部が前記光入射孔に夫々挿入されたことを特徴とするリモコン受光部を備えた測量機。
【発明の詳細な説明】
【０００１】
【発明の属する技術分野】
本発明は、リモートコントロール（以下、リモコンと略記する。）装置を備え、リモコン装置から送られてくるリモコン信号光により制御される機器に備えられるリモコン受光部に関する。
【０００２】
【従来の技術】
近年、測量機において、図４に示したように、測量機本体１０から離れた場所でも測量機の操作ができるようにと、測量機本体１０とは別体に、指令情報に応じて変調されたリモコン信号光を発信するリモコン装置２１を備え、測量機本体１０には、リモコン信号光を受光するリモコン受光部１９と、受光したリモコン信号光から指令情報を検出する図示しないリモコン受信装置を備えるようになってきた。さらに、図４に示した測量機では、測量機本体１０の前後どちらからでも操作できるようにと、測量機本体１０の前面と後面に夫々正側操作部２０Ａと反側操作部２０Ｂとを備え、さらに、リモコン装置２１で測量機本体１０の前後どちらからでも操作できるようにと、各操作部２０Ａ、２０Ｂ夫々にリモコン受光部１９を設けている。これらの受光部２０Ａ、２０Ｂ夫々には、図示しないホトダイオードやホトトランジスタ等の受光素子が設けられる。
【０００３】
【発明が解決しようとする課題】
ところで、前述のように、リモコン装置２１を備えた測量機を複数方向からリモコン操作可能とするためには、複数個のリモコン受光部１９を設け、各受光部２０Ａ、２０Ｂ夫々に受光素子が必要となる。このため、受光素子が増すことにより、機器の価格が高くなったり、受光素子のスペースが増すうえ、受光素子からリモコン受信装置までの配線のスペースも増して機器が大型化したり、受光素子からリモコン受信装置までの配線の接続箇所が受光素子の数に応じて多くなって、リモコン受光部を機器へ取り付けることがめんどうになるという問題があった。
【０００４】
本発明は、このような問題を解決するため、複数方向からリモコン操作可能とする測量機において、高額化又は大型化することなく、簡単に取り付けることができるリモコン受光部を備えた測量機を提供することを課題とする。
【００１０】
【課題を解決するための手段】
上記の課題を解決するため、請求項１に係る発明は、リモコン受光部を備えた測量機において、前記リモコン受光部は、１つの受光素子と、２方向からのリモコン信号光を前記受光素子へ伝達する導光部材とを備え、前記導光部材は、前記受光素子を固定する受光素子固定部と、該受光素子固定部に設けられて前記測量機内面と接合するための接合片と、前記受光素子に面する基部と、該基部から２股に分かれるとともに先端部が一直線上に位置する２本の脚部と、該脚部の一方の先端部に設けられた位置決めピンとを有する硬質材料からなり、前記測量機には、一直線上に位置して２つの光入射孔が設けられており、前記各脚部の先端部が前記光入射孔に夫々挿入されたことを特徴とする。
【００１１】
【発明の実施の形態】
次に、本発明の一実施例を図面に基づいて説明する。図１は、本実施例のリモコン受光部を測量機の内部へ取り付けた状態を示す斜視図である。図２は、本実施例のリモコン用受光部に用いられる導光部材の斜視図である。図３は、別の実施例に係る導光部材の正面図である。
【００１２】
本実施例のリモコン用受光部１０は、図１に示されたように、測量機本体の側板１の内側に取り付けられる。側板１は、前縁折り曲げ部１Ａ、後縁折り曲げ部１Ｂ、上面折り曲げ部１Ｃ及び図示しない下面折り曲げ部に連続したシール溝１Ｅが形成されており、このシール溝Ｅに図示しないシールリングを介在させて、測量機本体の側面にねじによって固定される。
【００１３】
リモコン用受光部１０は、受光素子２と、図示しないリモコン装置から送られてくる光を捕らえて受光素子２まで導く導光部材３とから構成される。
【００１４】
導光部材３は、図２に示されたように、基部３Ａと、この基部３Ａから二股に分かれて、しだいに離れるように緩やかに湾曲する円形断面の脚部３Ｂと、受光素子２を固定するため基部３Ａに設けられた略正方形の受光素子固定枠３Ｃからなる。脚部３Ｂの先端部３Ｄは、一直線７上に位置する。導光部材３は、脚部３Ｂの先端面３Ｈから入射した光を脚部３Ｂ内部で反射をさせながら基部３Ａまで伝達し、さらに基部３Ａから受光素子２へ伝達する。導光部材３で除去できない外部光は、さらにフィルタ６を受光素子２と導光部材３との間に設けて、リモコン装置からの光を受光するようにすることもできる。ここで、導光部材３の脚部３Ｂをあまり急激に曲げると、脚部３Ｂが光を伝達しにくくなるので、脚部３Ｂを曲げるときは、その曲率半径を設置部の状況に応じて可能な限り大きくする。導光部材３は、主に、リモコン装置から送られてくる光（赤外線）の波長の光を透過させるフィルタ機能を有するプラスチック等の硬質材料から形成され、受光素子２がノイズを拾って測定誤差を生じたり誤動作したりしないようにされる。
【００１５】
導光部材３としては、図３に示したように、光ファイバーのようなフィルタ特性のない材料を使用し、基部３Ａ及び脚部３Ｂの先端面３Ｈの一方又は両方に、主にリモコン装置から送られてくる光の波長の光を透過させるフィルタ５を装着してもよい。フィルタ５を装着すると、導光部材３には光透過性のある安価な材料を広く利用できる。
【００１６】
受光素子２は、ホトダイオードやホトトランジスタ等の光電変換素子であればどのようなものでもよく、受光素子固定部である受光素子固定枠３Ｃの内面に、受光面を導光部材３の基部３Ａと対向させて接着剤により固定されている。受光素子２のリード線２Ａは、図示しない配線を介してリモコン受信装置に接続される。
【００１７】
以上に述べたように、本実施例のリモコン受光部１０を備えた測量機では、受光素子２が１個でありながら、複数方向からリモコン操作できる。このように受光素子２が１個でよいので、測量機が高額化することはないうえ、受光素子２のスペース及び受光素子２とリモコン受信装置を接続する配線のスペースが増すことがなく、これによって、測量機が大型化することもない。また、受光素子２と硬質材料からなる導光部材３とを一体のリモコン受光部１０としているから、リモコン受光部１０の測量機への取り付けが、受光素子２が１個の場合に比べてめんどうになることもない。さらに、受光素子２が１個であるから、受光素子２とリモコン受信装置を接続する配線の手間が増すこともない。
【００１８】
次に、リモコン受光部１０の側板１への取り付け構造を説明する。
【００１９】
測量機本体の側板１の前縁折り曲げ部１Ａ及び後縁折り曲げ部１Ｂには、両折り曲げ部１Ａ、１Ｂと直交する一直線８上に光入射孔４を設けている。この光入射孔4には、リモコン受光部１０の脚部３Ｂの先端部３Ｄが挿入され、先端部３Ｄの全周と光入射孔４の内周面とはシール部材を兼ねる接着剤によって固定される。２つの脚部３Ｂの先端部３Ｄが夫々リモコン受光部１０の光入射孔４に固定できるように、脚部３Ｂの先端面３Ｈ間の間隔ｄは、ちょうど側板１の前縁折り曲げ部１Ａと後縁折り曲げ部１Ｂとの外面間の間隔よりいくらか狭くなっており、側板１の両折り曲げ部１Ａ、１Ｂの内面間の間隔よりいくらか広くなっている。
【００２０】
リモコン受光部１０の一方の脚部３Ｂの先端部３Ｄには位置決めピン３Ｇが設けられている。両脚部３Ｂの先端部３Ｄは一直線７上に位置するので、位置決めピン３Ｇが設けられていない方の脚部３Ｂの先端部３Ｄを一方の光入射孔４の内方から外方へ突出させると、他方の脚部３Ｂの先端部３Ｄがちょうど他方の光入射孔４の内方付近に位置させることができる。ここで、他方の脚部３Ｂの先端部３Ｄを他方の光入射孔４に挿入して、位置決めピン３Ｇを他方の光入射孔４の縁に当接させると、リモコン受光部１０は正しい位置にセットされる。リモコン受光部１０が正しい位置にセットされると、脚部３Ｂの先端面３Ｈが両折り曲げ部１Ａ、１Ｂの外面からいくらか内側に位置し、光入射孔４にものが当たったとき等に先端面３Ｈの破損を防止できる。リモコン受光部１０は、脚部３Ｂの先端部３Ｄが一直線７上にあって、光入射孔４に支持された先端部３Ｄを軸にして回転できるから、リモコン受光部１０を側板１に垂直な状態で、光入射孔４に挿入する作業を行うことができる。
【００２１】
リモコン受光部１０の受光素子固定枠３Ｃには、側板１の内面と接合するための接合片３Ｅと位置決めピン３Ｆが設けられている。リモコン受光部１０を脚部３Ｂの先端部３Ｄを光入射孔４に挿入した後、リモコン受光部１０を接合片３Ｅが側板１に当接する方向へ回転させ、位置決めピン３Ｆを側板１の内面に当接させるとともに、接合片３Ｅと側板１の内面とを接着剤により固着することによって、リモコン受光部１０を側板１に固定できる。
【００２２】
ところで、本発明は前記実施例に限らず、種々の実施例が考えられる。たとえば、リモコン受光部１０は、側板１の内側に限らず、測量機内の適宜箇所に配置してもよい。また、受光素子２を測量機内の適宜箇所に固定し、光入射孔４と受光素子２との間を可撓性のある導光部材で連結してもよい。この場合は、受光素子２と光入射孔４夫々の設置位置の自由になる。さらに、光入射孔４を測量機本体の前後左右に４個所に設け、光入射孔４と受光素子２との間を硬質材料又は可撓性材料の導光部材で連結してもよい。この場合には、前後左右どこからでも測量機をリモートコントロールできる。もちろん、本発明のリモコン受光部１０は、測量機以外のリモコン装置を備えた機器にも広く使用できることは言うまでもない。
【００２８】
【発明の効果】
以上の説明から明らかなように、請求項１に係る発明の測量機では、次のような効果を奏する。
（１）リモコン受光部は、１つの受光素子と、２方向からのリモコン信号光を前記受光素子へ伝達する導光部材とを備えたから、２方向からのリモコン信号を１個の受光素子で受光できる。（２）受光素子が１個であるから、測量機が高額化することはない。（３）受光素子が１個であるから、受光素子のスペース及び受光素子とリモコン受信装置を接続する配線のスペースが増すことがなく、測量機が大型化することがない。（４）受光素子が１個であるから、受光素子とリモコン受信装置とを接続する配線の手間が増すことがない。（５）リモコン受光部は、受光素子と硬質材料からなる導光部材とを一体としているから、リモコン受光部を取扱い易い。（６）測量機には一直線上に位置する２つの光入射孔が設けられていて、リモコン受光部は、受光素子に面する基部と該基部から２股に分かれるとともに先端部が一直線上に位置する２本の脚部と、該脚部の一方の先端部に設けられた位置決めピンとを有する硬質材料とからなるから、前記脚部の先端部を前記光入射孔に夫々挿入して、位置決めピンを一方の光入射孔の縁に当接させ、リモコン受光部を前記直線回りに回転して前記接合片を測量機内面に接合することにより、リモコン受光部と測量機とを簡単に結合でき、リモコン受光部を測量機に簡単に取り付けることができる。（７）前記（４）−（６）の効果により、リモコン受光部の測量機への取り付けがめんどうになることがない。
【図面の簡単な説明】
【図１】  本発明の一実施例に係るリモコン受光部を取り付けた測量機の側板内面を示す図である。
【図２】  前記リモコン受光部の導光部材を示す斜視図である。
【図３】  別の実施例に係る導光部材を示す正面図である。
【図４】  従来のリモコン装置を備えた測量機の側面図である。
【符号の説明】
１０    リモコン受光部
１    側板
２    受光素子
３    導光部材
３Ａ    基部
３Ｂ    脚部
３Ｃ    受光素子固定枠（受光素子固定部）
３Ｄ    先端部
３Ｅ    接合片
３Ｇ    位置決めピン
４    光入射孔
５    フィルタ
【図１】
0004004283.tif 000002
【図２】
0004004283.tif 000003
【図３】
0004004283.tif 000004
【図４】
0004004283.tif 000005